(57)【要約】  【課題】  リアクタの熱放散性及び取付強度を確保すると共に該リアクタの浸水を防止し得る空気調和機の室外機を提供すること。  【解決手段】  送風ファン２を駆動する駆動モータ３を支持する強度部材としての駆動モータ支持部材７が設けられた空気調和機の室外機において，リアクタ１０を収納する防水ケース１１が，前記駆動モータ支持部材７の連結部１３の開口部１３ａに装着され，該連結部１３によって支持される。即ち，前記リアクタ１０は，高い強度を有する前記駆動モータ支持部材７の上端部近傍で支持される。また，前記防水ケース１１には，該防水ケース１１の放熱性を確保するための開口部１１ｂが設けられている。これにより，前記リアクタ１０の熱放散性及び取付強度を確保すると共に該リアクタ１０の浸水を防止することができる。【選択図】  図２
2006250425.tif 000002
【特許請求の範囲】
【請求項１】
熱交換器に通過させる空気を送風する送風ファンを駆動する駆動モータと，
室外機筐体の上面から底面に架設され前記駆動モータを支持する強度部材としての駆動モータ支持部材と，
電動圧縮機のインバータ制御に用いられるリアクタと，
を備えてなる空気調和機の室外機であって，
前記リアクタが，前記駆動モータ支持部材によって該駆動モータ支持部材の上端部近傍で支持されてなることを特徴とする空気調和機の室外機。
【請求項２】
前記リアクタが収納された防水ケースが，前記駆動モータ支持部材によって該駆動モータ支持部材の上端部近傍で支持されてなる請求項１に記載の空気調和機の室外機。
【請求項３】
前記送風ファンと対向する前記防水ケースの面を除く該防水ケースの所定の面に放熱用の開口部が設けられてなる請求項２に記載の空気調和機の室外機。
【請求項４】
前記室外機筐体の上面が，前記防水ケースの上面に兼用されてなる請求項２又は３のいずれかに記載の空気調和機の室外機。
【請求項５】
前記防水ケースが，前記駆動モータ支持部材と一体に形成されてなる請求項２〜４のいずれかに記載の空気調和機の室外機。
【発明の詳細な説明】
【技術分野】
【０００１】
本発明は，電動圧縮機のインバータ制御が行われる空気調和機の室外機に関し，特に，その室外機に配設され前記インバータ制御に用いられるリアクタの取付構造に関するものである。
【背景技術】
【０００２】
従来から，電動圧縮機の電動機（モータ）の回転数をインバータ制御することにより消費電力を節約する所謂インバータエアコンが知られている。このインバータエアコンの室外機には，インバータ制御を行うインバータ回路と，そのインバータ回路において誘導リアクタンスを発生させるリアクタ（リアクトルともいう）とが設けられており，そのリアクタによってインバータ回路における力率の改善や電源高調波の抑制などが図られる。また，このリアクタは動作時に高温となるため，室外機における前記リアクタの高い熱放散性を確保することが重要である。
例えば，特許文献１に記載された空気調和機の室外機では，圧縮機やインバータ回路などが収容される機械室と，送風ファンや熱交換器などが収容される送風ファン収容室との間に設けられた仕切板に開口部を形成しておき，その開口部に接するようにその仕切板にリアクタを配設することにより，該リアクタの熱放散性が確保されている。
一方，騒音の原因となる前記圧縮機の動作音の外部への漏洩は，一般に，前記仕切板により抑制されている。そのため，前記のように前記仕切板に開口部が設けられると，その仕切板の遮音性が阻害され，前記室外機の騒音が増大する。そこで，特許文献２では，前記仕切板ではなく，前記送風ファンを駆動するファンモータを支持するファンモータ取付装置の下部に，前記リアクタを防水ケースに収容した状態で配設することが提案されている。これにより，当該室外機の騒音の抑制，及び前記リアクタの浸水防止が図られている。
【特許文献１】実開昭６２−１８９５２７号公報
【特許文献２】実開平２−８９２３０号公報
【発明の開示】
【発明が解決しようとする課題】
【０００３】
しかしながら，前記特許文献１の室外機では，前記リアクタが前記機械室側に配設されることによりそのリアクタの浸水が防止されているが，前記圧縮機や前記インバータ回路などが収容された前記機械室では，前記リアクタの熱放散性が低く，たとえ前記リアクタの熱放散性を確保するべくその一部が前記熱交換器室側に露出されているとしても，その熱放散性は十分なものであるとは言い難い。また，前記リアクタを前記仕切板に配設する構成では，その仕切板に前記リアクタを支持するための高い強度が要求され，前記仕切板に補強を施す必要が生じる。
【０００４】
一方，前記特許文献２の室外機では，前記リアクタが前記送風ファン収容室のファンモータ取付装置の下部に配設されているため，そのリアクタの浸水防止対策として前記防水ケースが必須の構成要素となっている。そのため，前記防水ケースに収容された前記リアクタの熱放散性が低下するという問題がある。もちろん，前記送風ファンの駆動による風流によって前記防水ケースの放熱が促されることは期待されるが，これを考慮したとしても前記防水ケースに包囲された前記リアクタの熱放散性には限界がある。また，前記防水ケースに開口部を設ければ前記リアクタの熱放散性を格段に向上させることが可能であるが，この場合，その開口部からの水の浸入による前記リアクタの動作不良が危惧される。特に，前記したように前記防水ケースが前記ファンモータ取付装置の下部に配設されているため，前記熱交換器からの凝縮水などが浸入しやすく，また，できるだけ前記防水ケースの上部に開口部を設けた場合であっても送風ファンによって飛散される外部からの雨水の浸入は防止し難い。即ち，前記リアクタの熱放散性を確保した上で，前記防水ケースの防水性を確保して該リアクタの浸水を防止することができないという問題がある。
従って，本発明は上記事情に鑑みてなされたものであり，その目的とするところは，前記リアクタの熱放散性及び取付強度を確保すると共に該リアクタの浸水を防止し得る空気調和機の室外機を提供することにある。
【課題を解決するための手段】
【０００５】
上記目的を達成するために本発明は，熱交換器に通過させる空気を送風する送風ファンを駆動する駆動モータと，室外機筐体の上面から底面に架設され前記駆動モータを支持する強度部材としての駆動モータ支持部材とを備え，電動圧縮機のインバータ制御に用いられるリアクタが，前記駆動モータ支持部材によって該駆動モータ支持部材の上端部近傍で支持されてなることを特徴とする空気調和機の室外機として構成される。ここに，従来から前記駆動モータ支持部材には，前記駆動モータの重量や駆動時の振動に耐え得る高い強度が確保されている。
これにより，前記リアクタは，高い強度が確保された前記駆動モータ支持部材により支持されてその高い取付強度が確保される。したがって，従来のように前記リアクタを支持する部材（仕切板）に補強を施す必要はない。さらに，前記リアクタが，前記駆動モータ支持部材の上端部近傍で支持されるため，該リアクタへの水の浸入の危険性が低い。即ち，本発明によれば，前記空気調和機の室外機における前記リアクタの熱放散性及び取付強度を確保すると共に該リアクタの浸水を防止することができる。
また，もちろん前記リアクタを防水ケースに収納した状態で配設してもよい。この場合，前記リアクタが収納された防水ケースが，前記駆動モータ支持部材によって該駆動モータ支持部材の上端部近傍で支持される。これにより，前記送風ファンの駆動による前記リアクタへの外部からの雨水の飛散が前記防水ケースによって阻止されるため，前記リアクタの浸水を確実に防止することが可能となる。
このとき，前記防水ケースに包囲されることによる前記リアクタの熱放散性の低下が危惧されるが，本発明は，前記リアクタが前記駆動モータ支持部材の上端部近傍に配設されているため，前記防水ケースや前記リアクタへの水の浸入は，前記送風ファンの駆動による雨水の飛散に起因するものに限られる。そこで，前記送風ファンと対向する前記防水ケースの面を除く該防水ケースの所定の面に放熱用の開口部を設けておくことが望ましい。これにより，前記送風ファンから飛散される雨水の前記防水ケースへの浸入を防止しつつ，前記リアクタの高い熱放散性を確保することができる。
【０００６】
ところで，前記防水ケースは前記リアクタを収納する中空の箱体であるため，その防水ケースには前記リアクタを収納するための開口部が必要である。ここで，本発明は，前記防水ケースが駆動モータ支持部材の上端部近傍，即ち前記室外機筐体の上面の近傍に配設されるため，前記防水ケースの上方に前記リアクタを収納するための開口部を設けておけば，前記空気調和機の室外機の組み立て時には，前記防水ケースの上方が前記室外機筐体の上面で覆われるため，前記防水ケースの密閉が可能となる。即ち，前記室外機筐体の上面を前記防水ケースの上面に兼用することにより，前記防水ケースの構造を簡素化することができる。
また，前記防水ケースを前記駆動モータ支持部材と一体に形成することにより，部品点数や生産工程の削減を図ることも可能である。
【発明の効果】
【０００７】
以上説明したように，前記リアクタは，高い強度が確保された前記駆動モータ支持部材により支持されてその高い取付強度が確保される。したがって，従来のように前記リアクタを支持する部材（仕切板）を補強する必要がない。さらに，前記リアクタが，前記駆動モータ支持部材の上端部近傍で支持されるため，該リアクタへの水の浸入の危険性が低い。
即ち，本発明によれば，前記空気調和機の室外機における前記リアクタの熱放散性及び取付強度を確保すると共に該リアクタの浸水を防止することができる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る空気調和機の室外機Ｘの内部構成を模式的に示した図であって（ａ）は前面板５０（図１（ｂ）参照）を取り外した状態の正面図，（ｂ）は上板５（図１（ａ）参照）を取り外した状態の上面図であり，図２はリアクタ１０の取付構造を説明する図であって（ａ）は取り付け前の斜視図，（ｂ）は取り付け後の正面図である。
まず，図１を用いて本発明の実施の形態に係る空気調和機の室外機Ｘの内部構成について説明する。
図１に示すように，前記室外機Ｘは，冷媒と空気との間で熱交換を行う熱交換器１と，前記熱交換器１に通過させる空気を送風する送風ファン２と，前記送風ファン２を駆動する駆動モータ３と，室外機筐体４の上板５（上面）から底板６（底面）に架設され前記駆動モータ３を支持する駆動モータ支持部材７と，冷媒を圧縮する電動圧縮機８と，前記電動圧縮機８が有するモータ（不図示）のインバータ制御（回転数制御）を行うインバータ回路を含む各種の制御回路が搭載された電装部９と，前記インバータ回路における力率の改善を図るべく該インバータ回路に接続されて前記インバータ制御に用いられるリアクタ１０と，前記リアクタ１０を収納し該リアクタ１０への水の飛散を防止する防水ケース１１と，を備えて概略構成されている。前記駆動モータ支持部材７は，前記駆動モータ３の重量や駆動時の振動に耐え得る高い強度を有する強度部材として構成されており，その上端部は前記室外機筐体４の上板５や背面板（不図示）に固定されている。
また，前記室外機Ｘの室外機筐体４の内部は，仕切板２０によって，前記熱交換器１や前記送風ファン２等が収容された送風ファン収容室３０と，前記電動圧縮機８や前記電装部９等が収容された機械室４０とに仕切られている。これにより，前記送風ファン収容室３０から前記機械室４０への水の浸入が防止され，また，前記機械室４０から前記送風ファン収容室３０を介した外部への前記電動圧縮機８の騒音の漏洩が防止されている。
【０００９】
本実施の形態に係る前記室外機Ｘは，前記リアクタ１０が前記駆動モータ支持部材７の上端部近傍に配設される構成（図１参照）に特徴を有しており，これによって前記リアクタ１０の熱放散性及び取付強度を確保すると共に該リアクタ１０の浸水を防止することができる。以下，図２を用いて，前記リアクタ１０の取付構造について詳説する。
図２に示すように，前記リアクタ１０が収納される前記防水ケース１１は，その上部が開放された箱状のアルミケースであって，その開放された開口の縁部には外側に向けて突出するリブ１１ａ−１，１１ａ−２が設けられている。なお，前記防水ケース１１には，ある程度の自然放熱が可能なアルミ製の部材が用いられているが，アルミに限られず，スチール等の金属などからなる放熱性部材で形成されたものであってよい。また，前記防水ケース１１の更に高い放熱性を確保するため，前記防水ケース１１の面１１ｃには放熱用の開口部１１ｂが設けられている。ここに，前記開口部１１ｂは，前記送風ファン２とは対向しない面，即ち前記送風ファン２の駆動時であっても外部からの雨水が飛散されない面１１ｂに設けられているため，該開口部１１ｂからの水の浸入は防止されている。なお，前記開口部１１ｂの配設位置は図示する位置（熱交換器側）に限られるものではなく，前記送風ファン２と対向する前記防水ケース１１の面を除く該防水ケース１１の所定の面，即ち前記防水ケース１１の底面を除く側面や前面などであってもよく，この場合にも前記送風ファン２から飛散される雨水の前記防水ケース１１内への浸入を防止することができる。
【００１０】
一方，前記駆動モータ支持部材７は，前記室外機筐体４の上板５から底板６に架設された鉛直部１４と，該鉛直部１４の上端部から前記送風ファン２側に突出して該送風ファン２及び前記駆動モータ３の上方を覆う平板状に形成された連結部１３とにより構成されている。また，前記連結部１３が，前記送風ファン２とは反対方向に向けて突出する形状に形成されることも他の実施例として考えられる。
この連結部１３には，前記上板５への連結に用いられる螺子穴１３ｃが形成されており，前記駆動モータ支持部材７の上端部は，前記連結部１３が前記上板５に連結されることにより該上板５に固定される。また，前記駆動モータ支持部材７は，前記上板５が前記室外機筐体４に取り付けられた際に，前記連結部１３の上方が前記上板５で覆われる位置に配設されている。なお，前記鉛直部１４は，前記室外機筐体４の底板６などにも固定されている。
さらに，前記連結部１３には，前記防水ケース１１を装着するための開口部１３ａ及び１３ｂが設けられている。本実施の形態では前記防水ケース１１が前記開口部１３ａに装着される例について述べる。なお，この開口部（１３ａ，１３ｂ）の数は，前記駆動モータ支持部材７の強度を十分に確保できる範囲内で，前記リアクタ１０のサイズや数に対して必要な前記防水ケース１１のサイズや数に応じて増減させてもよい。
【００１１】
ここで，図２を参照しつつ，前記駆動モータ支持部材７への前記リアクタ１０の取付工程について，その一例を説明する。なお，当該取付工程は単なる一例に過ぎず，以下の手順は適宜変更し得る。
まず，前記リアクタ１０を上方から前記防水ケース１１に収納し，その四隅において螺子１２により該防水ケース１１内部に設けられた取付板（不図示）などに螺合して固定する。
そして，前記リアクタ１０を収納した前記防水ケース１１を，前記駆動モータ支持部材７の連結部１３の開口部１３ａに嵌装する。これにより，前記防水ケース１１のリブ１１ａ−１，１１ａ−２が，前記連結部１３の開口部１３ａの縁部で係止され，前記防水ケース１１は前記駆動モータ支持部材７の上端部近傍で支持される。即ち，前記リアクタ１０が前記駆動モータ支持部材７の上端部近傍で支持される。
その後，前記室外機Ｘに，前記室外機筐体４の上板５を取付け，前記上板５と前記連結部１３の螺子穴１３ｃとを螺子により連結して，前記駆動モータ支持部材７の上端部を前記室外機筐体４の上板５に固定する。このとき，前述したように前記連結部１３の上方が前記上板５によって覆われるため，この連結部１３に装着された前記防水ケース１１の上方も前記上板５で覆われる。即ち，前記防水ケース１１の上面は，前記室外機筐体４の上板５で兼用されており，該防水ケース１１の構成は簡素化されている。
【００１２】
以上の取付工程によって構成された前記リアクタ１０の取付構造では，前記防水ケース１１が高い強度を有する前記駆動モータ支持部材７に支持され，即ち前記リアクタ１０が前記駆動モータ支持部材７によって支持されているため，該リアクタ１０の取付強度が十分に確保されている。
また，前記防水ケース１１が従来の室外機（特許文献２参照）とは異なり，前記駆動モータ支持部材７の上端部近傍に配設されているため，外部からの雨水や，前記熱交換器１からの凝縮水などが浸入する危険性が著しく低減されている。もちろん，外部からの雨水が前記送風ファン２の駆動により飛散されたとしても，前記防水ケース１１によって前記リアクタ１０への雨水の飛散は阻止される。
更に，前記防水ケース１１には前記開口部１１ｂが設けられているため，前記防水ケース１１に収納された前記リアクタ１０の高い熱放散性が確保されている。このように，前記防水ケース１１に前記開口部１１ｂを設ける構成は，前記防水ケース１１が送風ファン収容室３０の下部に設けられる従来の構成では防水性の観点から実現し難く，本実施の形態に係る前記室外機Ｘのように，前記防水ケース１１が，前記送風ファン収容室３０の上部に設けられる構成により有効に実現し得るものである。また，このように前記防水ケース１１には開口部１１ｂを設けることが可能であるから，前記防水ケース１１に樹脂製の部材を用いることによりコストの削減を図ることも他の実施例として考えられる。
このように，本発明の本実施の形態に係る前記室外機Ｘでは，前記リアクタ１０の熱放散性及び取付強度を確保すると共に該リアクタ１０の浸水を防止することができる。
【００１３】
また，本実施の形態に係る前記室外機Ｘは，図１（ｂ）に示すように，前記連結部１３に装着された前記防水ケース１１が，前記送付ファン２或いは前記駆動モータ３と前記上板５との間に位置するように構成されている。したがって，従来から存在していた余分なスペースを有効に利用しているため，前記室外機Ｘの奥行幅などを従来の室外機よりも拡大させる必要はない。
ところで，前記送風ファン２と前記リアクタ１０との位置関係が，該送風ファン２の駆動による該リアクタ１０への水の飛散を防止することができるものであれば，前記リアクタ１０は，前記防水ケース１１に収納されない状態で前記駆動モータ支持部材７の上端部近傍や前記連結部１３に直接配設・支持されてもよい。これにより，前記リアクタ１０の熱放散性を最も高く確保することができる。
また，前記防水ケース１１が，前記駆動モータ支持部材７と一体に形成されることにより，部品点数や組立工数の削減が図られる構成も好適である。
【図面の簡単な説明】
【００１４】
【図１】本発明の実施の形態に係る空気調和機の室外機Ｘの内部構成を模式的に示した図。
【図２】リアクタ１０の取付構造を説明する図。
【符号の説明】
【００１５】
１…熱交換器
２…送風ファン
３…駆動モータ
４…室外機筐体
５…上板（上面）
６…底板（底面）
７…駆動モータ支持部材
８…電動圧縮機
９…電装部
１０…リアクタ
１１…防水ケース
１１ａ−１，１１ａ−２…リブ
１１ｂ…開口部
１１ｃ…面（所定の面に相当）
１２…螺子
１３…連結部
１３ａ，１３ｂ…開口部
１３ｃ…螺子穴
１４…鉛直部
２０…仕切板
３０…送風ファン収容室
４０…機械室
５０…前面板
【図１】
2006250425.tif 000003
【図２】
2006250425.tif 000004